【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
Ｎ末端アミノ酸残基がブロモ化されていてもよい配列番号：１で表わされるアミノ酸配列と同一もしくは実質的に同一のアミノ酸配列を含有することを特徴とするペプチド、そのアミド、もしくはそのエステルまたはその塩。
【請求項２】
配列番号：１で表わされるアミノ酸配列と同一もしくは実質的に同一のアミノ酸配列を含有することを特徴とする請求項１記載のペプチド、そのアミド、もしくはそのエステルまたはその塩。
【請求項３】
配列番号：１、配列番号：２、配列番号：３または配列番号：６６で表わされるアミノ酸配列からなる請求項１記載のペプチド、そのアミド、もしくはそのエステルまたはその塩。
【請求項４】
Ｎ末端のトリプトファン残基が６−ブロモ化されている、配列番号：１、配列番号：２、配列番号：３または配列番号：６６で表わされるアミノ酸配列からなる請求項１記載のペプチド、そのアミド、もしくはそのエステルまたはその塩。
【請求項５】
Ｎ末端アミノ酸残基がブロモ化されていてもよい配列番号：４で表わされるアミノ酸配列と同一もしくは実質的に同一のアミノ酸配列を含有することを特徴とするペプチド、そのアミド、もしくはそのエステルまたはその塩。
【請求項６】
配列番号：４で表わされるアミノ酸配列と同一もしくは実質的に同一のアミノ酸配列を含有することを特徴とする請求項５記載のペプチド、そのアミド、もしくはそのエステルまたはその塩。
【請求項７】
配列番号：４、配列番号：５、配列番号：６または配列番号：６７で表わされるアミノ酸配列からなる請求項５記載のペプチド、そのアミド、もしくはそのエステルまたはその塩。
【請求項８】
Ｎ末端のトリプトファン残基が６−ブロモ化されている、配列番号：６７で表わされるアミノ酸配列からなる請求項５記載のペプチド、そのアミド、もしくはそのエステルまたはその塩。
【請求項９】
Ｎ末端のトリプトファン残基が６−ブロモ化されている、配列番号：４、配列番号：５、配列番号：６または配列番号：６７で表わされるアミノ酸配列からなる請求項５記載のペプチド、そのアミド、もしくはそのエステルまたはその塩。
【請求項１０】
Ｎ末端アミノ酸残基がブロモ化されていてもよい配列番号：７で表わされるアミノ酸配列と同一もしくは実質的に同一のアミノ酸配列を含有することを特徴とするペプチド、そのアミド、もしくはそのエステルまたはその塩。
【請求項１１】
配列番号：７で表わされるアミノ酸配列と同一もしくは実質的に同一のアミノ酸配列を含有することを特徴とする請求項１０記載のペプチド、そのアミド、もしくはそのエステルまたはその塩。
【請求項１２】
配列番号：７、配列番号：８、配列番号：９、配列番号：１０、配列番号：１１、配列番号：１２、配列番号：６８または配列番号：６９で表わされるアミノ酸配列からなる請求項１０記載のペプチド、そのアミド、もしくはそのエステルまたはその塩。
【請求項１３】
Ｎ末端アミノ酸残基がブロモ化されていてもよい配列番号：１３で表わされるアミノ酸配列と同一もしくは実質的に同一のアミノ酸配列を含有することを特徴とするペプチド、そのアミド、もしくはそのエステルまたはその塩。
【請求項１４】
配列番号：１３で表わされるアミノ酸配列と同一もしくは実質的に同一のアミノ酸配列を含有することを特徴とする請求項１３記載のペプチド、そのアミド、もしくはそのエステルまたはその塩。
【請求項１５】
配列番号：１３、配列番号：１４、配列番号：１５または配列番号：７０で表わされるアミノ酸配列からなる請求項１３記載のペプチド、そのアミド、もしくはそのエステルまたはその塩。
【請求項１６】
Ｎ末端アミノ酸残基がブロモ化されていてもよい配列番号：１６で表わされるアミノ酸配列と同一もしくは実質的に同一のアミノ酸配列を含有することを特徴とするペプチド、そのアミド、もしくはそのエステルまたはその塩。
【請求項１７】
配列番号：１６で表わされるアミノ酸配列と同一もしくは実質的に同一のアミノ酸配列を含有することを特徴とする請求項１６記載のペプチド、そのアミド、もしくはそのエステルまたはその塩。
【請求項１８】
配列番号：１６、配列番号：１７、配列番号：１８または配列番号：７１で表わされるアミノ酸配列からなる請求項１７記載のペプチド、そのアミド、もしくはそのエステルまたはその塩。
【請求項１９】
配列番号：４９または配列番号：８６で表わされるアミノ酸配列と同一もしくは実質的に同一のアミノ酸配列を含有する蛋白質またはその塩と結合する能力を有している請求項１〜１８記載のペプチド、そのアミド、もしくはそのエステルまたはその塩。
【請求項２０】
配列番号：５９で表わされるアミノ酸配列と同一もしくは実質的に同一のアミノ酸配列を含有する蛋白質またはその塩と結合する能力を有している請求項１〜１８記載のペプチド、そのアミド、もしくはそのエステルまたはその塩。
【請求項２１】
配列番号：８４または配列番号：８８で表わされるアミノ酸配列と同一もしくは実質的に同一のアミノ酸配列を含有する蛋白質またはその塩と結合する能力を有している請求項１〜１８記載のペプチド、そのアミド、もしくはそのエステルまたはその塩。
【請求項２２】
請求項１〜２１のいずれかに記載のペプチドの部分ペプチド、そのアミド、もしくはそのエステルまたはその塩。
【請求項２３】
請求項１〜２１のいずれかに記載のペプチドの前駆体ペプチド、そのアミド、もしくはそのエステルまたはその塩。
【請求項２４】
配列番号：１９で表わされるアミノ酸配列と同一もしくは実質的に同一のアミノ酸配列を含有することを特徴とする請求項２３記載の前駆体ペプチド、そのアミド、もしくはそのエステルまたはその塩。
【請求項２５】
配列番号：１９、配列番号：２０、配列番号：２１または配列番号：７２で表わされるアミノ酸配列からなる請求項２４記載のペプチド、そのアミド、もしくはそのエステルまたはその塩。
【請求項２６】
配列番号：２２で表わされるアミノ酸配列と同一もしくは実質的に同一のアミノ酸配列を含有することを特徴とする請求項２３記載のペプチド、そのアミド、もしくはそのエステルまたはその塩。
【請求項２７】
配列番号：２２、配列番号：２３、配列番号：２４または配列番号：７３で表わされるアミノ酸配列からなる請求項２６記載のペプチド、そのアミド、もしくはそのエステルまたはその塩。
【請求項２８】
請求項１〜２１のいずれかに記載のペプチドをコードするポリヌクレオチドを含有するポリヌクレオチド。
【請求項２９】
配列番号：２５、配列番号：２６、配列番号：２７、配列番号：２８、配列番号：２９、配列番号：３０、配列番号：３１、配列番号：３２、配列番号：３３、配列番号：３４、配列番号：３５、配列番号：３６、配列番号：３７、配列番号：３８、配列番号：３９、配列番号：４０、配列番号：４１、配列番号：４２、配列番号：７４、配列番号：７５、配列番号：７６、配列番号：７７、配列番号：７８または配列番号：７９で表わされる塩基配列からなる請求項２８記載のポリヌクレオチド。
【請求項３０】
請求項２２記載の部分ペプチドをコードするポリヌクレオチドを含有するポリヌクレオチド。
【請求項３１】
請求項２３記載の前駆体ペプチドをコードするポリヌクレオチドを含有するポリヌクレオチド。
【請求項３２】
配列番号：４３、配列番号：４４、配列番号：４５、配列番号：４６、配列番号：４７、配列番号：４８、配列番号：８０または配列番号：８１で表わされる塩基配列からなる請求項３１記載のポリヌクレオチド。
【請求項３３】
ＤＮＡである請求項２８〜３２記載のポリヌクレオチド。
【請求項３４】
請求項２８〜３３のいずれかに記載のポリヌクレオチドを含有する組換えベクター。
【請求項３５】
請求項３４記載の組換えベクターで形質転換させた形質転換体。
【請求項３６】
請求項３５記載の形質転換体を培養し、請求項１〜２１のいずれかに記載のペプチド、その部分ペプチドまたはその前駆体ペプチドを生成せしめることを特徴とする請求項１〜２１のいずれかに記載のペプチド、その部分ペプチドもしくはその前駆体ペプチドまたはその塩の製造法。
【請求項３７】
請求項１〜２１のいずれかに記載のペプチド、その部分ペプチドもしくはその前駆体ペプチド、そのアミド、もしくはそのエステルまたはその塩に対する抗体。
【請求項３８】
請求項１〜２１のいずれかに記載のペプチド、その部分ペプチド、そのアミド、もしくはそのエステルまたはその塩の活性を不活性化する中和抗体である請求項３７記載の抗体。
【請求項３９】
請求項３７記載の抗体を含有してなる医薬。
【請求項４０】
肥満症または摂食亢進症の予防・治療剤である請求項３９記載の医薬。
【請求項４１】
請求項３７記載の抗体を含有してなる診断薬。
【請求項４２】
拒食症、肥満症または摂食亢進症の診断薬である請求項４１記載の診断薬。
【請求項４３】
請求項１〜２１のいずれかに記載のペプチド、その部分ペプチド、そのアミド、もしくはそのエステルまたはその塩を含有してなる医薬。
【請求項４４】
拒食症の予防・治療剤または食欲増進剤である請求項４３記載の医薬。
【請求項４５】
請求項２８記載のポリヌクレオチドを含有してなる医薬。
【請求項４６】
拒食症の予防・治療剤または食欲増進剤である請求項４５記載の医薬。
【請求項４７】
請求項２８記載のポリヌクレオチドを含有してなる診断薬。
【請求項４８】
拒食症、肥満症または摂食亢進症の診断薬である請求項４７記載の診断薬。
【請求項４９】
請求項２８記載のポリヌクレオチドと相補的な塩基配列またはその一部を含有してなるポリヌクレオチド。
【請求項５０】
請求項４９記載のポリヌクレオチドを含有してなる医薬。
【請求項５１】
肥満症または摂食亢進症の予防・治療剤である請求項５０記載の医薬。
【請求項５２】
請求項１〜２１のいずれかに記載のペプチド、その部分ペプチド、そのアミド、もしくはそのエステルまたはその塩と配列番号：４９で表わされるアミノ酸配列と同一もしくは実質的に同一のアミノ酸配列を含有する蛋白質またはその塩を用いることを特徴とする請求項１〜２１のいずれかに記載のペプチド、その部分ペプチド、そのアミド、もしくはそのエステルまたはその塩と配列番号：４９で表わされるアミノ酸配列と同一もしくは実質的に同一のアミノ酸配列を含有する蛋白質またはその塩との結合性を変化させる化合物またはその塩のスクリーニング方法。
【請求項５３】
請求項１〜２１のいずれかに記載のペプチド、その部分ペプチド、そのアミド、もしくはそのエステルまたはその塩と配列番号：５９で表わされるアミノ酸配列と同一もしくは実質的に同一のアミノ酸配列を含有する蛋白質またはその塩を用いることを特徴とする請求項１〜２１のいずれかに記載のペプチド、その部分ペプチド、そのアミド、もしくはそのエステルまたはその塩と配列番号：５９で表わされるアミノ酸配列と同一もしくは実質的に同一のアミノ酸配列を含有する蛋白質またはその塩との結合性を変化させる化合物またはその塩のスクリーニング方法。
【請求項５４】
請求項１〜２１のいずれかに記載のペプチド、その部分ペプチド、そのアミド、もしくはそのエステルまたはその塩と配列番号：８４で表わされるアミノ酸配列と同一もしくは実質的に同一のアミノ酸配列を含有する蛋白質またはその塩を用いることを特徴とする請求項１〜２１のいずれかに記載のペプチド、その部分ペプチド、そのアミド、もしくはそのエステルまたはその塩と配列番号：８４で表わされるアミノ酸配列と同一もしくは実質的に同一のアミノ酸配列を含有する蛋白質またはその塩との結合性を変化させる化合物またはその塩のスクリーニング方法。
【請求項５５】
請求項１〜２１のいずれかに記載のペプチド、その部分ペプチド、そのアミド、もしくはそのエステルまたはその塩と配列番号：４９で表わされるアミノ酸配列と同一もしくは実質的に同一のアミノ酸配列を含有する蛋白質またはその塩とを含有することを特徴とする請求項１〜２１のいずれかに記載のペプチド、その部分ペプチド、そのアミド、もしくはそのエステルまたはその塩と配列番号：４９で表わされるアミノ酸配列と同一もしくは実質的に同一のアミノ酸配列を含有する蛋白質またはその塩との結合性を変化させる化合物またはその塩のスクリーニング用キット。
【請求項５６】
請求項１〜２１のいずれかに記載のペプチド、その部分ペプチド、そのアミド、もしくはそのエステルまたはその塩と配列番号：５９で表わされるアミノ酸配列と同一もしくは実質的に同一のアミノ酸配列を含有する蛋白質またはその塩とを含有することを特徴とする請求項１〜２１のいずれかに記載のペプチド、その部分ペプチド、そのアミド、もしくはそのエステルまたはその塩と配列番号：５９で表わされるアミノ酸配列と同一もしくは実質的に同一のアミノ酸配列を含有する蛋白質またはその塩との結合性を変化させる化合物またはその塩のスクリーニング用キット。
【請求項５７】
請求項１〜２１のいずれかに記載のペプチド、その部分ペプチド、そのアミド、もしくはそのエステルまたはその塩と配列番号：８４で表わされるアミノ酸配列と同一もしくは実質的に同一のアミノ酸配列を含有する蛋白質またはその塩とを含有することを特徴とする請求項１〜２１のいずれかに記載のペプチド、その部分ペプチド、そのアミド、もしくはそのエステルまたはその塩と配列番号：８４で表わされるアミノ酸配列と同一もしくは実質的に同一のアミノ酸配列を含有する蛋白質またはその塩との結合性を変化させる化合物またはその塩のスクリーニング用キット。
【請求項５８】
請求項１〜２１のいずれかに記載のペプチド、その部分ペプチド、そのアミド、もしくはそのエステルまたはその塩と配列番号：４９で表わされるアミノ酸配列と同一もしくは実質的に同一のアミノ酸配列を含有する蛋白質またはその塩との結合性を変化させる化合物またはその塩；
請求項１〜２１のいずれかに記載のペプチド、その部分ペプチド、そのアミド、もしくはそのエステルまたはその塩と配列番号：５９で表わされるアミノ酸配列と同一もしくは実質的に同一のアミノ酸配列を含有する蛋白質またはその塩との結合性を変化させる化合物またはその塩；または請求項１〜２１のいずれかに記載のペプチド、その部分ペプチド、そのアミド、もしくはそのエステルまたはその塩と配列番号：８４で表わされるアミノ酸配列と同一もしくは実質的に同一のアミノ酸配列を含有する蛋白質またはその塩との結合性を変化させる化合物またはその塩；を含有してなる医薬。
【請求項５９】
配列番号：４９で表わされるアミノ酸配列と同一もしくは実質的に同一のアミノ酸配列を含有する蛋白質またはその塩；配列番号：５９で表わされるアミノ酸配列と同一もしくは実質的に同一のアミノ酸配列を含有する蛋白質またはその塩；または配列番号：８４で表わされるアミノ酸配列と同一もしくは実質的に同一のアミノ酸配列を含有する蛋白質またはその塩；のアゴニストを含有してなる医薬。
【請求項６０】
配列番号：４９で表わされるアミノ酸配列と同一もしくは実質的に同一のアミノ酸配列を含有する蛋白質またはその塩；配列番号：５９で表わされるアミノ酸配列と同一もしくは実質的に同一のアミノ酸配列を含有する蛋白質またはその塩；または配列番号：８４で表わされるアミノ酸配列と同一もしくは実質的に同一のアミノ酸配列を含有する蛋白質またはその塩；のアンタゴニストを含有してなる医薬。
【請求項６１】
請求項５９記載のアゴニストを含有してなる拒食症の予防・治療剤または食欲増進剤。
【請求項６２】
請求項６０記載のアンタゴニストを含有してなる肥満症または摂食亢進症の予防・治療剤。
【請求項６３】
請求項１〜２１のいずれかに記載のペプチド、その部分ペプチドまたはその前駆体ペプチドをコードするＤＮＡを用いることを特徴とする請求項１〜２１のいずれかに記載のペプチド、その部分ペプチドまたはその前駆体ペプチドの発現量を変化させる化合物またはその塩のスクリーニング方法。
【請求項６４】
請求項１〜２１のいずれかに記載のペプチド、その部分ペプチドまたはその前駆体ペプチドをコードするＤＮＡを含有することを特徴とする請求項１〜２１のいずれかに記載のペプチド、その部分ペプチドまたはその前駆体ペプチドの発現量を変化させる化合物またはその塩のスクリーニング用キット。
【請求項６５】
請求項１〜２１のいずれかに記載のペプチド、その部分ペプチドまたはその前駆体ペプチドの発現量を変化させる化合物またはその塩を含有してなる医薬。
【請求項６６】
請求項１〜２１のいずれかに記載のペプチド、その部分ペプチドまたはその前駆体ペプチドの発現量を増加させる化合物またはその塩を含有してなる拒食症の予防・治療剤または食欲増進剤。
【請求項６７】
請求項１〜２１のいずれかに記載のペプチド、その部分ペプチドまたはその前駆体ペプチドの発現量を減少させる化合物またはその塩を含有してなる肥満症または摂食亢進症の予防・治療剤。
【請求項６８】
請求項１〜２１のいずれかに記載のペプチド、その部分ペプチド、そのアミド、もしくはそのエステルまたはその塩と配列番号：８６で表わされるアミノ酸配列と同一もしくは実質的に同一のアミノ酸配列を含有する蛋白質またはその塩を用いることを特徴とする請求項１〜２１のいずれかに記載のペプチド、その部分ペプチド、そのアミド、もしくはそのエステルまたはその塩と配列番号：８６で表わされるアミノ酸配列と同一もしくは実質的に同一のアミノ酸配列を含有する蛋白質またはその塩との結合性を変化させる化合物またはその塩のスクリーニング方法。
【請求項６９】
請求項１〜２１のいずれかに記載のペプチド、その部分ペプチド、そのアミド、もしくはそのエステルまたはその塩と配列番号：８８で表わされるアミノ酸配列と同一もしくは実質的に同一のアミノ酸配列を含有する蛋白質またはその塩を用いることを特徴とする請求項１〜２１のいずれかに記載のペプチド、その部分ペプチド、そのアミド、もしくはそのエステルまたはその塩と配列番号：８８で表わされるアミノ酸配列と同一もしくは実質的に同一のアミノ酸配列を含有する蛋白質またはその塩との結合性を変化させる化合物またはその塩のスクリーニング方法。
【請求項７０】
請求項１〜２１のいずれかに記載のペプチド、その部分ペプチド、そのアミド、もしくはそのエステルまたはその塩と配列番号：８６で表わされるアミノ酸配列と同一もしくは実質的に同一のアミノ酸配列を含有する蛋白質またはその塩とを含有することを特徴とする請求項１〜２１のいずれかに記載のペプチド、その部分ペプチド、そのアミド、もしくはそのエステルまたはその塩と配列番号：８６で表わされるアミノ酸配列と同一もしくは実質的に同一のアミノ酸配列を含有する蛋白質またはその塩との結合性を変化させる化合物またはその塩のスクリーニング用キット。
【請求項７１】
請求項１〜２１のいずれかに記載のペプチド、その部分ペプチド、そのアミド、もしくはそのエステルまたはその塩と配列番号：８８で表わされるアミノ酸配列と同一もしくは実質的に同一のアミノ酸配列を含有する蛋白質またはその塩とを含有することを特徴とする請求項１〜２１のいずれかに記載のペプチド、その部分ペプチド、そのアミド、もしくはそのエステルまたはその塩と配列番号：８８で表わされるアミノ酸配列と同一もしくは実質的に同一のアミノ酸配列を含有する蛋白質またはその塩との結合性を変化させる化合物またはその塩のスクリーニング用キット。
【請求項７２】
請求項１〜２１のいずれかに記載のペプチド、その部分ペプチド、そのアミド、もしくはそのエステルまたはその塩と配列番号：８６で表わされるアミノ酸配列と同一もしくは実質的に同一のアミノ酸配列を含有する蛋白質またはその塩との結合性を変化させる化合物またはその塩；または請求項１〜２１のいずれかに記載のペプチド、その部分ペプチド、そのアミド、もしくはそのエステルまたはその塩と配列番号：８８で表わされるアミノ酸配列と同一もしくは実質的に同一のアミノ酸配列を含有する蛋白質またはその塩との結合性を変化させる化合物またはその塩；を含有してなる医薬。
【請求項７３】
配列番号：８６で表わされるアミノ酸配列と同一もしくは実質的に同一のアミノ酸配列を含有する蛋白質またはその塩；または配列番号：８８で表わされるアミノ酸配列と同一もしくは実質的に同一のアミノ酸配列を含有する蛋白質またはその塩；のアゴニストを含有してなる医薬。
【請求項７４】
配列番号：８６で表わされるアミノ酸配列と同一もしくは実質的に同一のアミノ酸配列を含有する蛋白質またはその塩；または配列番号：８８で表わされるアミノ酸配列と同一もしくは実質的に同一のアミノ酸配列を含有する蛋白質またはその塩；のアンタゴニストを含有してなる医薬。
【請求項７５】
請求項７３記載のアゴニストを含有してなる拒食症の予防・治療剤または食欲増進剤。
【請求項７６】
請求項７４記載のアンタゴニストを含有してなる肥満症または摂食亢進症の予防・治療剤。